(57)【要約】【課題】  静電偏向器の偏向感度を切り換えても光軸調整のずれを生じることなく、高倍率でも電源ノイズの影響を軽減した観察像を得ることができる静電偏向器を与える。【解決手段】  電極対２２には常に偏向電圧が与えられる。リレー２４を高感度モードにすると、リレー端子は「１」に接続され、全ての電極対に電圧が与えられるので大きな偏向量が得られる。リレー２４を低感度モードにすると、リレー端子は「２」に接続され、中央の電極対２２のみに電圧が与えられるので、高感度モードと同じ電圧でも偏向量は小さくなる。そのため、偏向電源からの偏向電圧ノイズによる影響も小さくなり、高倍率の観察像に対する電源ノイズの影響を低減することができる。リレー２４によりモードを切り換えても偏向中心は変わらないので光軸調整ずれを軽減できる。【選択図】図１
2010003484.tif 000002
【特許請求の範囲】
【請求項１】
荷電粒子ビームを発生する荷電粒子源と、該荷電粒子ビームを集束して試料上に照射するレンズと前記荷電粒子ビームを試料上で走査するため、荷電粒子ビーム通路を挟んで対向配置される電極対からなる静電偏向器とを備えた荷電粒子ビーム装置において、
前記静電偏向器の１段を構成する電極対が荷電粒子ビームの光軸方向に沿って３分割以上の奇数個の電極対群に分割され、
前記電極対群は、前記荷電粒子ビームの光軸に沿って中央に位置する中央電極対と、前記中央電極対を挟んで配置された２つの電極対をひとつの組とする組が前記電極対群の個数に応じて１つ又は複数形成される対称配置電極対とからなり、
前記ひとつの組の対称配置電極対を構成する前記２つの電極対の内面は、前記中央電極対の中心に対して対称となる形状を持ち且つ対称となる距離に配置され、
前記中央電極対と、前記対称配置電極対の各組の中から1つ又は複数組選択する選択手段と、
前記選択された電極対に所定の偏向電圧を与える電圧印加手段とを備えたことを特徴とする荷電粒子ビーム装置。
【請求項２】
前記選択手段は、荷電粒子ビームを前記試料上で走査する際の走査倍率又は走査幅に応じて選択する電極対を決めるようにしたことを特徴とする請求項１に記載の荷電粒子ビーム装置。
【請求項３】
前記選択された電極対に与える電圧値は、単一の電源から供給され、各電極対において同一となるようになされていることを特徴とする請求項１乃至２の何れか１項に記載の荷電粒子ビーム装置。
【請求項４】
前記選択手段は、前記選択された電極対以外の電極対は荷電粒子ビームを偏向しないように設定することを特徴とする請求項１乃至３の何れか１項に記載の荷電粒子ビーム装置。
【請求項５】
前記分割された電極対の隣り合う配置された電極対同士は、各々の隣接する電極対の口径が略連続的に変化するように、隣り合う電極対の少なくとも一方の電極対にテーパー形状部が設けられていることを特徴とする請求項１乃至４の何れか１項に記載の荷電粒子ビーム装置。
【請求項６】
前記選択手段は、前記静電偏向器の１段による最も高い偏向感度が所望されるときは、前記分割された電極対の全てに同じ偏向電圧を与えるようにしたことを特徴とする請求項１乃至５の何れか１項に記載の荷電粒子ビーム装置。
【請求項７】
前記選択手段は、前記静電偏向器の１段による最も低い偏向感度が所望されるときは、前記分割された電極対のうちの前記中央電極対のみに偏向電圧を与え、その他の電極対は全て接地電位とするようにしたことを特徴とする請求項１乃至６の何れか１項に記載の荷電粒子ビーム装置。
【請求項８】
前記選択手段は、前記静電偏向器の１段による最も高い偏向感度を与えるモードから、前記中央電極対から最も遠い距離に配置されている前記２つの電極対をひとつの組とする対称配置電極対から順次接地電圧に切り換えることにより、前記静電偏向器の偏向感度を複数段階に切り換えるようにしたことを特徴とする請求項１乃至７の何れか１項に記載の荷電粒子ビーム装置。
【請求項９】
前記分割された電極対の長さと口径を適当な値に設定することにより、前記切り換えに伴い偏向感度が略等比級数的に変化するように構成されていることを特徴とする請求項１乃至８の何れか１項に記載の荷電粒子ビーム装置。
【請求項１０】
前記選択手段は、前記静電偏向器の１段による最も低い偏向感度が所望されるときは、前記分割された電極対のうちの前記中央電極対から最も遠い距離に配置されている前記２つの電極対をひとつの組とする対称配置電極対のみに偏向電圧を与え、その他の電極対は全て接地電位とするようにしたことを特徴とする請求項１乃至６の何れか１項に記載の荷電粒子ビーム装置。
【請求項１１】
荷電粒子ビームを集束して試料上に照射し、試料表面の観察や試料の加工を行なう荷電粒子ビーム装置において、前記荷電粒子ビームを試料上で走査するための荷電粒子ビーム通路を挟んで対向配置される電極対からなる静電偏向器において、
前記静電偏向器の１段を構成する電極対が荷電粒子ビームの光軸方向に沿って３分割以上の奇数個の電極対群に分割され、
前記電極対群は、前記荷電粒子ビームの光軸に沿って中央に位置する中央電極対と、前記中央電極対を挟んで配置された２つの電極対をひとつの組とする組が前記電極対群の個数に応じて１つ又は複数形成される対称配置電極対とからなり、
前記ひとつの組の対称配置電極対を構成する前記２つの電極対の内面は、前記中央電極対の中心に対して対称となる形状を持ち且つ対称となる距離に配置され、
前記中央電極対と前記対称配置電極対の組の中から所定の偏向電圧を与える電極対を選択することにより前記静電偏向器の偏向感度を切り換えるようにしたこと特徴とする静電偏向器。
【発明の詳細な説明】
【技術分野】
【０００１】
本発明は、走査型電子顕微鏡や集束イオンビーム装置等の荷電粒子ビーム装置で用いられる静電偏向器に関する。
【背景技術】
【０００２】
走査型電子顕微鏡や集束イオンビーム装置等の荷電粒子ビーム装置では、レンズにより細く絞ったビームを試料上で走査するためのビーム偏向器を備えている。ビーム偏向器には磁気偏向と静電偏向の２種類がある。図５は、典型的なレンズ後段偏向型の静電偏向器が組み込まれた走査型電子顕微鏡の概略構成例を示すブロック図である。
【０００３】
図５において、１は電子銃、２は電子銃１から発生した電子ビーム、３は電子ビーム２を集束するための集束レンズ、４は電子ビームを更に細く絞って試料６に照射するためのレンズ、５は対物レンズ４により絞られた電子ビーム２を試料面上で走査するための静電偏向器、７は試料６を移動して観察視野を変えるための試料ステージ、８は静電偏向器５に偏向電圧を与えるための偏向電源、９は試料上への電子ビーム照射により発生する２次電子や反射電子を検出するための電子検出器、１０は電子検出器９により検出された電子強度信号の増幅器、１１はパーソナルコンピュータ等の制御演算装置、１２は液晶モニタ等の表示装置である。
【０００４】
静電偏向器にはいくつかの種類があり、平行平板型、４極子、８極子またはそれ以上の多極子などさまざまであるが、後段偏向の場合は通常１段の偏向器でビームを偏向する。但し、平行平板型の場合は試料面上Ｘ−Ｙ方向に偏向するため、Ｘ成分とＹ成分の偏向電極対が軸方向に１段づつ並ぶ構成となる。
【０００５】
なお、実際の装置では、電子銃、照射レンズ、対物レンズ及び絞り装置（図視せず）等も制御演算装置１１により制御されている。また、電子銃１から試料６までの電子ビーム２の通路は図示しない真空排気装置により１０−３Ｐａ程度の高真空に保たれている。電子銃にフィールドエッミッション型の電子源を用いた場合は、電子銃近傍を１０−８Ｐａ程度の高真空に保つようになっている。
【０００６】
次に、図５のように構成された走査型電子顕微鏡の動作を簡単に説明する。電子銃から取り出された所定のエネルギーを持つ電子ビームは集束レンズ３で集束され、対物レンズ４によって更に細く絞られて試料６に照射される。
電子ビーム照射により発生した２次電子や反射電子は電子検出器９により検出され、検出された電子強度信号は増幅器１０により増幅されて制御演算装置１１に送られる。
【０００７】
増幅器１０から制御演算装置１１に送られた電子強度信号は、静電偏向器５の偏向信号と同期して二次元画像を形成し、二次電子像や反射電子像として表示装置１２に表示される。表示装置１２に表示された画像を見ながら、試料ステージ７により試料位置を移動させて、試料上の観察を行なう場所の視野探しを行なうことができる。最終的な観察（観察像の撮影）は高倍率で行なう場合でも、視野探しは比較的低倍率で行なうことが一般的である。
【０００８】
走査型電子顕微鏡における観察倍率は、試料６上の面走査領域の一辺の長さに対する表示装置１２上の表示画像の一辺の長さとの比で表される。従って、静電偏向器５の偏向感度（偏向の変位距離／偏向電圧）が固定ならば、観察倍率は面走査のサイズを決めるビームの偏向量、すなわち偏向電圧によって決まる。偏向感度が固定の偏向器では、高倍率の観察を行なうときはそれだけ低い偏向電圧を与えることになる。偏向器で試料面上の小さな領域を走査すると偏向電圧の電源ノイズの影響による像の乱れが拡大されて観察像に表れることになる。
【０００９】
図６は、偏向電圧と電源ノイズの影響の関係を説明するための模式図である。縦軸は静電偏向器５に与える偏向電圧、横軸は電子ビームが偏向（走査）される時間である。図６（ａ）において、ある走査倍率ＭＬ（低倍率）で走査しているとき偏向電圧が０からＶ０まで変化しているとする。静電偏向器５の偏向感度が固定ならば、走査倍率ＭＬより１０倍高い走査倍率ＭＨ（高倍率）にしたとき、静電偏向器５に与える偏向電圧は十分の一になる。図６（ｂ）は、図６（ａ）の縦軸を１０倍に引き伸ばした図である。このとき偏向電源８からの電源ノイズの大きさは一定であるため、走査倍率ＭＬでは目立たなかった電源ノイズの影響が走査倍率ＭＨでは相対的に大きくなることが分かる。実際の観察では、低倍率と高倍率の差は１０４桁以上に達する場合も有る。
【００１０】
特許文献１の特開２００２−１１７７９６号公報には、こうした電源ノイズの影響を軽減するために、静電偏向器を多段構成とし、走査倍率に応じて印加する静電偏向器の実効面積を切り換えて偏向感度を変える技術が開示されている。また、特許文献２の特開２００５−１９００１号公報には、偏向感度の切り換えに伴って光学軸調整がずれてしまう等の特許文献１の開示技術において生じている問題を解決するために、偏向感度の切り換え動作前後のずれ量を予め求めておいて光学軸ずれを補正する技術が開示されている。
【特許文献１】特開２００２−１１７７９６号公報
【特許文献２】特開２００５−１９００１号公報
【発明の開示】
【発明が解決しようとする課題】
【００１１】
特許文献１の特開２００２−１１７７９６号公報に開示されている技術のような、単に印加する静電偏向器の実効面積を切り換えて偏向感度を変えるだけでは、電極対配置の機械的精度に限界があることから、切り換えの前後で光軸調整にずれを生じるという問題の回避は困難である。また、光軸調整のずれを解決するための特許文献２の特開２００５−１９００１号公報に開示されている技術においては、偏向感度切り換えの前後におけるずれ量を予め求めて記憶し、その補正量を分割された偏向器に印加する必要がある。この補正量は個々の偏向器の機械的精度により異なるため、ずれ量を求めるための作業や補正のための係数の設定に手間がかかるため実用性に乏しいという問題がある。また、偏向感度の切り換えに伴って、偏向中心が移動するため、光軸調整のズレを生じやすいという問題がある。
【００１２】
本発明は上記した問題を解決するためになされたものであって、その目的は、静電偏向器の偏向感度を切り換えても光軸調整のずれを生じることなく、高倍率でも電源ノイズの影響を軽減した観察像を得ることができる静電偏向器とそれを備える荷電粒子ビーム装置を提供することにある。
【課題を解決するための手段】
【００１３】
上記の問題を解決するために、請求項１に記載の発明は、
荷電粒子ビームを発生する荷電粒子源と、該荷電粒子ビームを集束して試料上に照射するレンズと前記荷電粒子ビームを試料上で走査するため、荷電粒子ビーム通路を挟んで対向配置される電極対からなる静電偏向器とを備えた荷電粒子ビーム装置において、
前記静電偏向器の１段を構成する電極対が荷電粒子ビームの光軸方向に沿って３分割以上の奇数個の電極対群に分割され、
前記電極対群は、前記荷電粒子ビームの光軸に沿って中央に位置する中央電極対と、前記中央電極対を挟んで配置された２つの電極対をひとつの組とする組が前記電極対群の個数に応じて１つ又は複数形成される対称配置電極対とからなり、
前記ひとつの組の対称配置電極対を構成する前記２つの電極対の内面は、前記中央電極対の中心に対して対称となる形状を持ち且つ対称となる距離に配置され、
前記中央電極対と、前記対称配置電極対の各組の中から1つ又は複数組選択する選択手段と、
前記選択された電極対に所定の偏向電圧を与える電圧印加手段とを備えたことを特徴とする。
【００１４】
また、請求項２に記載の発明は、
前記選択手段は、荷電粒子ビームを前記試料上で走査する際の走査倍率又は走査幅に応じて選択する電極対を決めるようにしたことを特徴とする。
【００１５】
また、請求項３に記載の発明は、
前記選択された電極対に与える電圧値は、単一の電源から供給され、各電極対において同一となるようになされていることを特徴とする。
【００１６】
また、請求項４に記載の発明は、
前記選択手段は、前記選択された電極対以外の電極対は荷電粒子ビームを偏向しないように設定することを特徴とする。
【００１７】
また、請求項５に記載の発明は、
前記分割された電極対の隣り合う配置された電極対同士は、各々の隣接する電極対の口径が略連続的に変化するように、隣り合う電極対の少なくとも一方の電極対にテーパー形状部が設けられていることを特徴とする。
【００１８】
また、請求項６に記載の発明は、
前記選択手段は、前記静電偏向器の１段による最も高い偏向感度が所望されるときは、前記分割された電極対の全てに同じ偏向電圧を与えるようにしたことを特徴とする請求項１乃至５の何れか１項に記載の荷電粒子ビーム装置。
【００１９】
また、請求項７に記載の発明は、
前記選択手段は、前記静電偏向器の１段による最も低い偏向感度が所望されるときは、前記分割された電極対のうちの前記中央電極対のみに偏向電圧を与え、その他の電極対は全て接地電位とするようにしたことを特徴とする。
【００２０】
また、請求項８に記載の発明は、
前記選択手段は、前記静電偏向器の１段による最も高い偏向感度を与えるモードから、前記中央電極対から最も遠い距離に配置されている前記２つの電極対をひとつの組とする対称配置電極対から順次接地電圧に切り換えることにより、前記静電偏向器の偏向感度を複数段階に切り換えるようにしたことを特徴とする。
【００２１】
また、請求項９に記載の発明は、
前記分割された電極対の長さと口径を適当な値に設定することにより、前記切り換えに伴い偏向感度が略等比級数的に変化するように構成されていることを特徴とする。
【００２２】
また、請求項１０に記載の発明は、
前記選択手段は、前記静電偏向器の１段による最も低い偏向感度が所望されるときは、前記分割された電極対のうちの前記中央電極対から最も遠い距離に配置されている前記２つの電極対をひとつの組とする対称配置電極対のみに偏向電圧を与え、その他の電極対は全て接地電位とするようにしたことを特徴とする。
【００２３】
また、請求項１１に記載の発明は、
荷電粒子ビームを集束して試料上に照射し、試料表面の観察や試料の加工を行なう荷電粒子ビーム装置において、前記荷電粒子ビームを試料上で走査するための荷電粒子ビーム通路を挟んで対向配置される電極対からなる静電偏向器において、
前記静電偏向器の１段を構成する電極対が荷電粒子ビームの光軸方向に沿って３分割以上の奇数個の電極対群に分割され、
前記電極対群は、前記荷電粒子ビームの光軸に沿って中央に位置する中央電極対と、前記中央電極対を挟んで配置された２つの電極対をひとつの組とする組が前記電極対群の個数に応じて１つ又は複数形成される対称配置電極対とからなり、
前記ひとつの組の対称配置電極対を構成する前記２つの電極対の内面は、前記中央電極対の中心に対して対称となる形状を持ち且つ対称となる距離に配置され、
前記中央電極対と前記対称配置電極対の組の中から所定の偏向電圧を与える電極対を選択することにより前記静電偏向器の偏向感度を切り換えるようにしたこと特徴とする
【発明の効果】
【００２４】
本発明によれば、静電偏向器の１段を構成する電極対を奇数個の電極対群に分割し、前記電極対群を、前記荷電粒子ビームの光軸に沿って中央に位置する中央電極対と、前記中央電極対を挟んで配置された２つの電極対をひとつの組とする組が前記電極対群の個数に応じて１つ又は複数形成される対称配置電極対とからなるように構成し、前記ひとつの組の対称配置電極対を構成する前記２つの電極対の内面を、前記中央電極対の中心に対して対称となる形状を持ち且つ対称となる距離に配置したので、静電偏向器の１段の偏向感度を切り換えるために各電極対に与える偏向電圧を変化させても、静電偏向器の１段の偏向中心が常に対称中心の位置とすることができる。そのため、高倍率時にも電源ノイズの影響を軽減させる高倍率像観察性能の向上と、静電偏向器の偏向感度切り換え時に光軸調整のずれを軽減する操作性の向上とを両立させた荷電粒子ビーム装置を得ることができる。
【発明を実施するための最良の形態】
【００２５】
以下図面を参照しながら、本発明を４極子で構成した静電偏向器で実施する形態について説明する。但し、この例示によって本発明の技術範囲が制限されるものでは無い。各図において、同一または類似の機能を持つものには共通の符号を付し、詳しい説明の重複を避ける。以下の説明において、便宜的に、荷電粒子ビームの光軸に沿って荷電粒子ビームが静電偏向器に入射する側を上、出射する側を下と表現する。また、４極子静電偏向器における電極対間の距離を荷電粒子ビーム通路側の口径で表すこととする。
【００２６】
（実施の形態１）
図１は本発明の一実施の形態例として、４極子静電偏向器２０の１段分に適用した例を示す図である。図１（ａ）は荷電粒子ビームの入射方向から見た上視図である。図１（ｂ）は、上視図のＸ軸（又はＹ軸でも同じ）における荷電粒子ビームの光軸（Ｚ軸）に沿った縦断面図である。４極子静電偏向器２０の１段分の全長はＬ、上下両端の電極対の口径はｄであり、中央の電極対２２の長さはＬｃ、口径はｄｃである。
【００２７】
なお、一般的に、偏向器と試料間の距離が同じ場合、偏向器の口径が小さく、ビームの光軸方向の長さが長いほど偏向感度は大きくなる。より低倍率で荷電粒子ビームを走査するためには、より大きな偏向感度が必要である。
【００２８】
図１（ｂ）に示すように、４極子静電偏向器２０は４極子の形状を維持しながら、電極対２１、２２、２３の３つの電極対群に分割され、荷電粒子ビームの光軸に沿った４極子静電偏向器２０の中心点Ｃを含んで光軸に直角な平面Ｈを対称中心として対称形状となるように構成されている。即ち、２３は中央電極対、２１と２２は２つでひとつの組とする対称配置電極対である。
【００２９】
電極対２１の上端と電極対２２の下端の口径はｄであるが、中央電極対２３の口径ｄｃに略連続的に近づくように、電極対２１の中ほどからはテーパー２１ａが、電極対２２の中ほどからはテーパー２２ａが形成されている。
【００３０】
図４は、４極子静電偏向器２０のような形状を持つ偏向器によって作り出される偏向電界の電位分布をシミュレーションした結果を示す図である。隣り合う電極対の口径を略連続的に近づけるようにテーパー形状部を設けたため、図４（ａ）の高感度モードにおける電界は、高感度モードの主体となる上下の電極対２１、２２で作られる電界と中央電極対２３によって作られる比較的に弱い電界との間が滑らかに変化していることが分かる。また、図４（ｂ）に示すように、特に低感度モードにしたとき、直線Ｈに略垂直な等電位線がほぼ等間隔のまま上下に長く延びている。これは広い範囲で電界が均一に近い分布になっていることを示しており、隣り合う電極対の口径を略連続的に近づけるようにテーパー形状部を設けたことの効果である。
【００３１】
なお、テーパーの形状は必ずしも図１のような直線上でなく、曲線的に変化する形状であっても良い。またテーパー部の長さは電極対２１、２２の半分より短くても良い。但し短くするにつれて、図４（ｂ）に示した電界が均一に近い分布となっている領域が狭められてくることに留意するべきである。
【００３２】
次に、４極子静電偏向器２０の動作について説明する。中央電極対２２には常に偏向信号を増幅器Ａで増幅した偏向電圧が与えられる。上下の電極対２１、２３は、リレー２４により、軸方向に隣り合う電極対２２と同じ電圧を与える高感度モードと、接地電位を与える低感度モードとが切り換えられるようになっている。リレー２４を高感度モードにすると、リレー端子は「１」に接続され、全ての電極対に電圧が与えられるので全体として大きな偏向量が得られる。また、リレー２４を低感度モードにすると、リレー端子は「２」に接続され、中央の電極対２２のみに電圧が与えられるので、高感度モードと同じ電圧でも偏向量は小さくなる。
【００３３】
静電偏向器２０において、リレー２４の動作状態に応じた高感度モードと低感度モードとの偏向感度比は以下のように求められる。
偏向感度比をＲ１とおき、
Ｒ１＝（ｄｃ／ｄ）／（Ｌｃ／Ｌ）        （１）
と定義する。
【００３４】
例えば、中央の電極対２２の長さＬｃを全長Ｌの約５分の１にとり（Ｌｃ／Ｌ≒１／５）、電極対２２の口径ｄｃを上下の電極対２１、２３の口径ｄの２倍程度大きくする（ｄｃ／ｄ≒２）と、式（１）から、概ね、Ｒ１≒１０となる（テーパー部形状により若干値が変化する）。この場合は切り換えにより、低感度モードでは高感度モードよりも概ね一桁小さい偏向感度とすることができる。そのため、偏向電源からの偏向電圧ノイズによる影響も１／Ｒ１に小さくなる。従って、高倍率の観察像に対する電源ノイズの影響を低減することができる。
【００３５】
また、電極対形状を中心対称となるようにしているため、低感度モードと高感度モードの切り換えを行なっても、偏向中心位置は常に中心点Ｃであって変わらない。そのため一旦光軸の調整を行なっておくと、低感度モードと高感度モードで電圧のかかる電極対が変化しても光軸調整のずれを軽減できる。
【００３６】
上記軸ずれ軽減効果は、本発明を実施する静電偏向器を複数段組み合わせた場合により顕著となる。例えば、荷電粒子ビームの試料上の走査領域を広くするために２段偏向が一般的に行なわれている。２段偏向においては、通常１段目と２段目の偏向支点（偏向中心）と偏向比を一定として設計されているので、軸調整条件もこの偏向支点と偏向比に基づいて設定される。従って格段の偏向支点の位置が変わるとそれに応じて全体の軸調整条件を新たに設定し直す必要がある。
【００３７】
本発明を実施した静電偏向器であれば、偏向中心が常に一定なので上記の問題を回避することができる。
【００３８】
（実施の形態２）
図２は、本発明の他の実施例で、中央の電極対を３分割構成とし全体を５分割した４極子静電偏向器３０の構成例を示す。図２（ａ）は荷電粒子ビームの入射方向から見た上視図である。図２（ｂ）は、上視図のＸ軸（又はＹ軸でも同じ）における荷電粒子ビームの光軸（Ｚ軸）に沿った縦断面図である。４極子静電偏向器３０の１段分の全長はＬ、上下両端の口径はｄである。
【００３９】
図２（ｂ）に示すように、４極子静電偏向器３０は４極子の形状を維持しながら、電極対３１、３２、３３、３４、３５の５つの電極対群に分割され、荷電粒子ビームの光軸に沿った４極子静電偏向器３０の中心点Ｃを含んで光軸に直角な平面Ｈを対称中心として対称な形状となるように構成されている。
即ち、３５は中央電極対、３１〜３４は対称配置電極対であり、３１と３２、３３と３４がそれぞれ１つの組を形成する。
図１の４極子静電偏向器２０の場合と同様に、分割された電極対のそれぞれ隣り合う口径を略連続的に近づけるようにテーパー部が設けられている。
【００４０】
次に、４極子静電偏向器３０の動作について説明する。４極子静電偏向器３０では偏向感度を３段階に切り換えることができる。中央電極対３５には常に偏向信号を増幅器Ａで増幅した偏向電圧が与えられる。
【００４１】
上下端の電極対３１、３２は、リレー３６により、軸方向に隣り合う電極対３３、３４と同じ電圧を与える高感度モードと、接地電位を与える中・低感度モードとが切り換えられるようになっている。リレー３６を高感度モードにすると、リレー端子は「１」に接続され、電極対３１、３２に電圧が与えられる。このとき、電極対３３、３４、３５の全てに偏向電圧を与えることが望ましい。
また、リレー３６を中・低感度モードにすると、リレー端子は「２」に接続され、電極対３３、３４、３５のみに電圧を与えることが可能となる。
【００４２】
中央電極対３５と隣り合う上下の電極対３３、３４は、リレー３７により軸方向に隣り合う電極対３１、３２と同じ電圧を与える高・中感度モードと、接地電位を与える低感度モードとが切り換えられるようになっている。リレー３７を高・中感度モードにすると、リレー端子は「３」に接続され、電極対３３、３４に電圧が与えられるので、電極対３３、３４、３５の全てを使用した偏向量が得られる。このとき電極対３１、３２にも偏向電圧が与えられていれば高感度モードとなるが、電極対３１、３２が接地電位であれば中感度モードとなる。リレー３７を低感度モードにすると、リレー端子は「４」に接続され、電極対３５のみに電圧を与えるので、最も偏向感度の低い低感度モードで動作させることができる。
【００４３】
静電偏向器３０において、リレー３６、３７の動作状態に応じた各感度モード間の偏向感度比は以下のように求められる。高感度モードと中感度モードとの偏向感度比をＲ２とおく。また、電極対３３、３４、３５の長さを合わせた長さをＬｃ、電極対３３、３４の口径をｄｃとおき、
Ｒ２＝（ｄｃ／ｄ）／（Ｌｃ／Ｌ）        （２）
と定義する。
例えば、３つの電極対の長さＬｃを全長Ｌの約５分の２にとり（Ｌｃ／Ｌ≒２／５）、電極対２２の口径ｄｃを上下の電極対２１、２３の口径ｄの２倍程度大きくする（ｄｃ／ｄ≒２）と、式（２）から、概ね、Ｒ２≒５となる（テーパー部形状により若干値が変化する）。
【００４４】
次に、中感度モードと低感度モードとの偏向感度比をＲ３とおく。また、電極対３５の長さをＬｃ′、口径をｄｃ′とおき、
Ｒ３＝（ｄｃ′／ｄｃ）／（Ｌｃ′／Ｌｃ）        （３）
と定義する。
例えば、電極対３５の長さＬｃ′を３つの電極対の長さＬｃの約５分の２にとり（Ｌｃ′／Ｌｃ≒２／５）、電極対３５の口径ｄｃ′を上下の電極対３３、３４の口径ｄの２倍程度大きくする（ｄｃ′／ｄｃ≒２）と、式（３）から、概ね、Ｒ３≒５となる（テーパー部形状により若干値が変化する）。
【００４５】
上記したように、全電極対に偏向電圧を与えるモードから、上下両端の電極対から順次接地電位に切り換えるようにして、偏向感度を３段階に切り換えることができる。電極対を５分割した場合の高感度モードと低感度モードとの偏向感度比は、Ｒ２とＲ３を乗じて、概ね、Ｒ２×Ｒ３≒２５となる。
【００４６】
なお、上記の説明において、４極子静電偏向器３０は、電極対を５分割した構成例を示しているが、この分割を繰り返して、例えば７分割、９分割等の全電極対数が常に奇数となる電極対群を形成することができる。このように構成した静電偏向器の偏向中心位置は常に中心点Ｃであって変わらない。
【００４７】
図７は、電極対群が７分割の構造を持つようにしたときの偏向感度の設定状態を説明するためのブロック図である。電極対５１〜５７の全てに偏向電圧を与えたときと電極対５１、５２を接地電位としたときの偏向感度比をＲ、電極対５１、５２を接地電位としたうえで電極対５３〜５７の全てに偏向電圧を与えたときと電極対５３、５４を接地電位としたときの偏向感度比をＲ′、電極対５１〜５４を接地電位としたうえで電極対５５〜５７の全てに偏向電圧を与えたときと電極対５５、５６を接地電位としたときの偏向感度比をＲ″とする。なお、図７は、中央電極対５４のみに偏向電圧が印加されている状態を示している。
【００４８】
Ｒ，Ｒ′，Ｒ″の値は、分割された各電極対の長さと口径を適当に選ぶことにより任意に設定できる。電極対の分割数を増やした場合の偏向感度比Ｒ，Ｒ′，Ｒ″…は任意の値でよいが、Ｒ，Ｒ′，Ｒ″…を同程度の値に設定すれば、複数段階の感度モードを切り換えるとき等比級数的に偏向量が変わるので操作性を向上させることができる。
【００４９】
（実施の形態３）
図３は、本発明の他のもうひとつの実施例で、４極子静電偏向器４０の構成例を示す図である。図３（ａ）は荷電粒子ビームの入射方向から見た上視図である。図３（ｂ）は、上視図のＸ軸（又はＹ軸でも同じ）における荷電粒子ビームの光軸（Ｚ軸）に沿った縦断面図である。４極子静電偏向器４０の１段分の全長はＬ、中央の電極対４３の口径はｄ、上下の電極対４１、４２の長さはそれぞれＬｃ／２、口径はｄｃである。
【００５０】
図３（ｂ）に示すように、４極子静電偏向器４０は４極子の形状を維持しながら、電極対４１、４２、４３の３つの電極対群に分割され、荷電粒子ビームの光軸に沿った４極子静電偏向器４０の中心点Ｃを含んで光軸に直角な平面Ｈを対称中心として対称形状となるように構成されている。即ち、４３は高感度モードにおいて主体となる中央電極対、４１と４２は２つでひとつの組とする対称配置電極対である。図１の４極子静電偏向器２０と同様に、電極対４３と荷電粒子ビームの光軸方向にそれぞれ隣り合う電極対４１、４２とは、互いの口径を略連続的に近づけるように、電極対４３にはテーパー部が設けられている。
【００５１】
次に、４極子静電偏向器４０の動作について説明する。上下の電極対４１、４２には常に偏向信号を増幅器Ａで増幅した偏向電圧が与えられる。中央電極対４３は、リレー４４により、軸方向に隣り合う上下の電極対４１、４２と同じ電圧を与える高感度モードと、接地電位を与える低感度モードとが切り換えられるようになっている。リレー４４を高感度モードに切り換えると、リレー端子は「１」に接続され、全ての電極対に電圧が与えられるので全体として大きな偏向量が得られる。また、リレー４４を低感度モードに切り換えると、リレー端子は「２」に接続され、上下の電極対４１、４２のみに電圧が与えられるので、高感度モードと同じ電圧でも偏向量は小さくなる。
【００５２】
静電偏向器４０において、リレー４４の動作状態に応じた高感度モードと低感度モードとの偏向感度比は以下のように求められる。
偏向感度比をＲ４とおき、
Ｒ４＝（ｄｃ／ｄ）／（Ｌｃ／Ｌ）        （１）
と定義する。
【００５３】
例えば、上下の電極対４１、４２の長さを加算したＬｃを全長Ｌの約５分の２にとり（Ｌｃ／Ｌ≒２／５）、電極対４１、４２の口径ｄｃを中央電極対４３の口径ｄの２倍程度大きくする（ｄｃ／ｄ≒２）と、式（１）から、概ね、Ｒ４≒５となる（テーパー部形状により若干値が変化する）。上下の電極対４１、４２と中央電極対４３との長さ割合及び口径の比率を変えることで、偏向感度比Ｒ４を任意に設定できることは言うまでも無い。
【００５４】
また、高感度モードにおいて主体となる電極対を中央に配置するようにしたまま、電極対の分割を繰り返して、例えば５分割、７分割、９分割等の全電極対数が常に奇数となる階層構造とするようにしても、偏向中心位置は常に中心点Ｃであって変わらない。よって高感度モードにおいて主体となる電極対を中央に配置するようにしても、４極子静電偏向器２０と同様の効果を生ずることは明らかである。
【００５５】
以上述べたようにして、静電偏向器の偏向感度を切り換えても偏向中心のずれを生じることなく、高倍率でも電源ノイズの影響を軽減した観察像を得ることができる静電偏向器とそれを備える荷電粒子ビーム装置を得ることができる。
【図面の簡単な説明】
【００５６】
【図１】本発明を実施する４極子静電偏向器の一例を示す図。
【図２】本発明を実施する４極子静電偏向器の他の例を示す図。
【図３】本発明を実施する４極子静電偏向器の他のもうひとつの例を示す図。
【図４】実施の形態１の４極子静電偏向器について電界分布のシミュレーション結果を示す図。
【図５】静電偏向器を組み込んだ走査型電子顕微鏡の概略構成例を示す図。
【図６】偏向電圧と電源ノイズの影響の関係を説明するための模式図。
【図７】７分割の電極対群からなる静電偏向器の偏向感度比の設定状態を説明するためのブロック図。
【符号の説明】
【００５７】
（同一または類似の動作を行なうものには共通の符号を付す。）
１…電子銃（荷電粒子銃）
２…電子ビーム（荷電粒子ビーム）
３…集束レンズ
４…対物レンズ
５…静電偏向器
６…試料
７…試料ステージ
８…偏向電源
９…電子検出器
１０…増幅器
１１…制御演算装置
１２…表示装置
【図１】
2010003484.tif 000003
【図２】
2010003484.tif 000004
【図３】
2010003484.tif 000005
【図４】
2010003484.tif 000006
【図５】
2010003484.tif 000007
【図６】
2010003484.tif 000008
【図７】
2010003484.tif 000009